(57)【要約】【課題】吸引される含塵空気流から塵埃をろ過するフィルター袋体が破損し難く、かつ、このフィルター袋体周りに通気流路を大きく確保できる掃除機用集塵袋を提供する。【解決手段】掃除機用の集塵袋１１は、塵埃通孔を有した支持板の裏面に通気性のフィルター袋体１５を固定してなる。支持板の裏面と対向するように配設されたフィルター袋体１５の裏面部位１７に裏面排気溝１７ａを複数設ける。これら裏面排気溝１７ａが、フィルター袋体１５の内側に向けて凹むとともに、フィルター袋体１５の外部に開放していることを特徴としている。【選択図】      図３
2010125052.tif 000002
【特許請求の範囲】
【請求項１】
塵埃通孔を有した支持板の裏面に通気性のフィルター袋体を固定してなる集塵袋において、前記支持板の裏面と対向するように配設された前記フィルター袋体の裏面部位に、前記フィルター袋体の内側に向けて凹むとともに前記フィルター袋体の外部に開放する裏面排気溝が複数設けられていることを特徴とする掃除機用集塵袋。
【請求項２】
前記裏面部位の前記各裏面排気溝が延びる方向の両端に連続した前記フィルター袋体の側面部位の内の少なくとも一方に、前記フィルター袋体の内側に向けて凹むとともに前記フィルター袋体の外部に開放する側面排気溝が複数設けられていて、前記裏面排気溝を仕切る裏面稜と前記側面排気溝の谷とが折れ曲って連続しているとともに、前記裏面排気溝の谷と前記側面排気溝を仕切る側面稜とが折れ曲がって連続し、かつ、前記裏面稜と前記側面稜とが、これらにわたって斜めに形成された角部稜を介して連続されていることを特徴とする請求項１に記載の掃除機用集塵袋。
【請求項３】
前記フィルター袋体の裏面部位をなす材料より高強度でかつ変形可能な補強部が、前記裏面部位の一部に前記各裏面排気溝にわたって連続して設けられていることを特徴とする請求項１又は２に記載の掃除機用集塵袋。
【請求項４】
電動送風機と、この電動送風機が内蔵されるとともに前記電動送風機の上流側に集塵室及びこの集塵室に連通した吸込み口を有し、かつ、前記電動送風機と前記集塵室との間に通気性の仕切りを有した掃除機本体と、塵埃通孔を有した支持板の裏面に通気性のフィルター袋体を固定してなるとともに前記集塵室に出し入れ可能に配置される集塵袋と、を具備した電気掃除機において、
前記集塵袋が請求項１から３の内のいずれか一項に記載の集塵袋であるとともに、前記仕切りの前記集塵室に臨む領域が平らに形成されていて、この平らな領域で前記フィルター袋体の裏面部位を支持していることを特徴とする電気掃除機。
【請求項５】
電動送風機と、この電動送風機が内蔵されるとともに前記電動送風機の上流側に集塵室及びこの集塵室に連通した吸込み口を有し、かつ、前記電動送風機と前記集塵室との間に通気性の仕切りを有した掃除機本体と、塵埃通孔を有した支持板の裏面に通気性のフィルター袋体を固定してなるとともに前記集塵室に出し入れ可能に配置される集塵袋と、を具備した電気掃除機において、
前記仕切りの前記集塵室に臨む領域が平らに形成されていて、この平らな領域で前記フィルター袋体の裏面部位が支持されるとともに、この裏面部位に、前記フィルター袋体の内側に向けて凹むとともに前記フィルター袋体の外部に開放する裏面排気溝が複数平行に設けられていることを特徴とする電気掃除機。
【発明の詳細な説明】
【技術分野】
【０００１】
本発明は、電気掃除機が備えた電動送風機に吸込まれる気流中に配置されて、この気流に含まれる塵埃をろ過により分離して溜める掃除機用集塵袋、及びこの集塵袋を備えて使用される電気掃除機に関する。
【背景技術】
【０００２】
従来、塵埃吸入口を有した支持板の裏面に袋状体を固定し、この袋状体の側面部位、つまり、支持板に対向するように配設された袋状体の裏面部位と支持板との間に位置された側面部位の上下側面又は左右側面に、袋状体を折り畳んでできるシングル又はダブルのガゼットを設けた掃除機用の集塵フィルタが知られている（例えば、特許文献１参照。）。
【０００３】
又、塵埃吸入口を有した支持板の裏面に袋状体を固定してなる紙袋を集塵部として用いる電気掃除機において、紙袋が収納される掃除機本体の集塵室内壁に複数のリブ体を設けて、これらリブ体で紙袋の裏面部位を支持する電気掃除機が知られている（例えば、特許文献２参照。）。
【特許文献１】特開平２−３０２２３６号公報（第３頁右上欄第１２行〜第４頁右下欄第５行、図１−図７）
【特許文献２】特開平４−５９４１号公報（第１頁右欄第２行〜第３頁左下欄第６行、図１−図７）
【発明の開示】
【発明が解決しようとする課題】
【０００４】
特許文献１の集塵フィルタは、それを掃除機本体の集塵室に収納して使用したときに、この集塵フィルタの裏面部位が、集塵室内壁にへばりつき易い。こうしたへばりつきが生じた場合には、通気流路が減るので、吸塵力が低下してしまう。
【０００５】
特許文献２の電気掃除機は、集塵室内壁に紙袋の裏面部位がへばりつくことを防止できる。しかし、集塵室内壁にリブ体を形成する必要があるだけではなく、通気流路を大きく確保するためにリブ体が高く形成されている場合には、電動送風機の吸引力によりリブ体に沿うように変形する紙袋の裏面部位に負荷が掛かり過ぎて、この裏面部位が破損する恐れが高いので、実際的に通気流路を大きく確保するには適していない。
【０００６】
本発明の目的は、吸引される含塵空気流から塵埃をろ過するフィルター袋体が破損し難く、かつ、このフィルター袋体周りに通気流路を大きく確保できる掃除機用集塵袋及び電気掃除機を提供することにある。
【課題を解決するための手段】
【０００７】
本発明の掃除機用集塵袋は、塵埃通孔を有した支持板の裏面に通気性のフィルター袋体を固定してなり、支持板の裏面と対向するように配設されたフィルター袋体の裏面部位に、フィルター袋体の内側に向けて凹むとともに、フィルター袋体の外部に開放する裏面排気溝を複数設けたことを特徴としている。
【発明の効果】
【０００８】
本発明によれば、吸引される含塵空気流から塵埃をろ過するフィルター袋体が破損し難く、かつ、このフィルター袋体周りに通気流路を大きく確保できる掃除機用集塵袋、及びこの集塵袋を備えた電気掃除機を提供できる。
【発明を実施するための最良の形態】
【０００９】
図１〜図６を参照して本発明の一実施形態を説明する。
【００１０】
図１及び図２中符号１は例えばキャニスタ型の電気掃除機を示している。この電気掃除機１が備える掃除機本体２は、その前部に取付けられたキャスター３、及び後部に取付けられた一対の車輪４により掃除対象の部屋の床面上に沿って移動可能である。
【００１１】
掃除機本体２には仕切り５が設けられ、この仕切り５を境に掃除機本体２内は、仕切り５の後側の電動送風機室２ａと前側の集塵室２ｂとに分けられている。集塵室２ｂは例えば掃除機本体２の前部上面に開放されている。
【００１２】
仕切り５は例えば合成樹脂の平板で形成されている。従って、本実施形態では仕切り５の前面全体が集塵室２ｂに臨んでいる。この仕切り５の集塵室２ｂに臨んだ領域は、平らでかつ通気性を有している。この通気性を得るために、仕切り５に例えば上下方向に延びる複数のスリット５ａが形成されている。複数の通気部は円形又は長円形等の孔形状を有した小孔であってもよいとともに、これら小孔によって仕切り５の集塵室２ｂに臨んだ領域を格子状に構成することも可能である。
【００１３】
掃除機本体２は仕切り５の上流側に位置する吸込み口６を有しており、本実施形態では掃除機本体２の前端部に吸込み口６が設けられている。吸込み口６はこれと仕切り５との間の集塵室２ｂに連通している。掃除機本体２は集塵室２ｂに臨んだ吸込み口６の出口端に連続する袋支持壁２ｃを有している。袋支持壁２ｃは、例えば仕切り５と平行に設けられていて、集塵室２ｂの前端を仕切っている。
【００１４】
なお、吸込み口６には図示しない吸込み風路体が接続される。吸込み風路体は、吸込み口６に一端部が挿入して接続される吸塵ホースと、このホースの他端部に接続された延長管と、この延長管の先端部に接続された吸込み口体を備えている。吸塵ホースの他端部には後述の電動送風機に対する各種の指令を与えるための操作パネルを有した操作ハンドルが設けられている。したがって、電気掃除機１の運転時に駆動される電動送風機の吸引力により、吸込み口体の下面に開口された吸込み開口から塵埃を伴って吸い込まれた空気（含塵空気）が、吸込み風路体内を通って吸込み口６に導入されて、集塵室２ｂに吸込まれる。
【００１５】
電動送風機室２ａには電動送風機７が収納されている。したがって、この電動送風機７と集塵室２ｂとの間に仕切り５が設けられている。電動送風機室２ａには、電動送風機７に電源を供給するコードリール装置８（図１参照）が接続されている。コードリール装置８が有した電源プラグ８ａは図示しない商用交流電源に接続される。更に、電動送風機室２ａにはインデユーサ９が設けられている。インデユーサ９は、仕切り５と電動送風機７とにわたって配置されていて、集塵室２ｂから仕切り５を通った空気を電動送風機７の吸気口（図示しない）に導く。なお、掃除機本体２の後端部には図示しない排気部が設けられていて、この排気部を電動送風機７から排出された空気が通って掃除機本体２外へ排気される。
【００１６】
掃除機本体２はその前部に本体蓋１０を有している。本体蓋１０はその後端部が回動支点となるように掃除機本体２に取付けられていて、この本体蓋１０を手動で回動させることにより集塵室２ｂの上面開口が開閉される。
【００１７】
集塵室２ｂには集塵袋１１が収納されている。この集塵袋１１は本体蓋１０が開かれた状態で出し入れ可能である。図３〜図６を参照して集塵袋１１について詳しく説明する。集塵袋１１は、シール材１４が固定された支持板１２と、フィルター袋体１５とを備えている。
【００１８】
支持板１２は、ボール紙のような厚紙からなり、図４及び図６に示すように略四角形状をなしていて、その中央部に塵埃通孔１３を有している。塵埃通孔１３は例えば円形である。支持板１２の裏面に接着剤（図示しない）を用いてシール材１４が接着止めされている。このシール材１４は、柔軟でかつ弾性を有するゴムシート等の薄い膜からなり、中央部に通孔１４ａを有している。通孔１４ａの直径は塵埃通孔１３より小さい。シール材１４の通孔１４ａ及びこの通孔１４ａ周りの部位は塵埃通孔１３内に対向している。
【００１９】
フィルター袋体１５は、通気性を有し、不織布等を主体とする袋体材料により形成されている。図５（Ａ）（Ｂ）に示すようにフィルター袋体１５は袋状をなしているとともに、その開口部周り１６は図４に示すように支持板１２より大きく形成されている。この開口部周り１６の内周側部位からなる開口縁部１６ａが支持板１２の裏面に接着剤（図示しない）を用いて接着止めされることで、フィルター袋体１５が支持板１２の裏面に固定されている。
【００２０】
フィルター袋体１５は、前記開口部周り１６と、集塵袋１１の使用時に支持板１２の裏面に対向するように設けられる裏面部位１７と、第１の側面部位１８〜第４の側面部位２１と、補強部２５を備えている。フィルター袋体１５をなす袋体材料の内で少なくとも裏面部位１７は、従来使用されている材料よりも硬い材料で形成されている。
【００２１】
裏面部位１７に複数の裏面排気溝１７ａが設けられている。これら裏面排気溝１７ａは、フィルター袋体１５の内側に向けて凹むとともにフィルター袋体１５の外部に開放していて、断面Ｖ字状をなしている。裏面排気溝１７ａが延びる方向に直交する断面形状がＶ字状であることは、裏面排気溝１７ａの同断面が台形状や半円形状である場合に比較して、フィルター袋体１５の内側から後述する谷１７ｂに後方に向けて加わる力に対して裏面排気溝１７ａが崩れ難く保形性が良い点で好ましい。
【００２２】
図３及び図６に示すように各裏面排気溝１７ａは、互いに平行でかつ連続して設けられていて、好ましい例として上下方向に延びている。図３及び図５中符号１７ｂは裏面排気溝１７ａの谷を示し、同じく符号１７ｃは裏面部位１７の裏面稜を示している。谷１７ｂ及び裏面稜１７ｃは裏面排気溝１７ａと同方向に延びている。裏面稜１７ｃは裏面排気溝１７ａを仕切っている。谷１７ｂから裏面稜１７ｃまでの高さ、つまり、図５（Ａ）（Ｂ）に示した裏面排気溝１７ａの深さＤは任意に設定可能であり、電動送風機７の吸込み力等で裏面排気溝１７ａが容易に崩れない範囲でより深くすることが好ましい。
【００２３】
第１の側面部位１８と第２の側面部位１９は、裏面部位１７の各裏面排気溝１７ａが延びる方向の両端、つまり、本実施形態では裏面部位１７の上下両端に夫々連続し、かつ、開口部回り１６に至る部位である。第１の側面部位１８はフィルター袋体１５の上側面部位をなし、第２の側面部位１９はフィルター袋体１５の下側面部位をなし、それらの内面は互いに対向している。
【００２４】
図３に示すように第１の側面部位１８に複数の側面排気溝１８ａが設けられている。これら側面排気溝１８ａは、フィルター袋体１５の内側に向けて凹むとともにフィルター袋体１５の外部に開放していて、この側面排気溝１８ａが延びる方向に直交する断面はＶ字状をなしている。これら側面排気溝１８ａの深さ乃至は断面形状は裏面排気溝１７ａと同じであることが好ましい。各側面排気溝１８ａは、互いに平行でかつ連続して設けられていて、前後方向に延びている。図３中符号１８ｂは側面排気溝１８ａの谷を示し、同じく符号１８ｃは第１の側面部位１８の側面稜を示している。谷１８ｂ及び側面稜１８ｃは側面排気溝１８ａと同じく前後方向に延びている。側面稜１８ｃは側面排気溝１８ａを仕切っている。
【００２５】
図４に示すように第２の側面部位１９に複数の側面排気溝１９ａが設けられている。これら側面排気溝１９ａは、フィルター袋体１５の内側に向けて凹むとともにフィルター袋体１５の外部に開放していて、この側面排気溝１９ａが延びる方向に直交する断面はＶ字状をなしている。これら側面排気溝１９ａの深さ乃至は断面形状は裏面排気溝１７ａと同じであることが好ましい。各側面排気溝１９ａは、互いに平行でかつ連続して設けられていて、前後方向に延びている。図４中符号１９ｂは側面排気溝１９ａの谷を示し、同じく符号１９ｃは第２の側面部位１９の側面稜を示している。谷１９ｂ及び側面稜１９ｃは側面排気溝１９ａと同じく前後方向に延びている。側面稜１９ｃは側面排気溝１９ａを仕切っている。
【００２６】
側面排気溝１８ａ群及び側面排気溝１９ａ群と裏面排気溝１７ａ群とは、集塵袋１１をその正面側（前側）又は裏面側（後側）から見て、これら排気溝の配設ピッチの半ピッチ分互いに位置がずれている。このため、図３及び図５（Ａ）（Ｂ）に示すように裏面稜１７ｃと第１の側面部位１８の谷１８ｂとが折れ曲がって連続し、同様に、裏面稜１７ｃと第２の側面部位１９の谷１９ｂとが折れ曲がって連続している。これとともに、裏面稜１７ｃと側面稜１８ｃとが、これらにわたって斜めに形成された第１の角部稜１８ｄを介して連続され、同様に、裏面稜１７ｃと側面稜１９ｃとが、これらにわたって斜めに形成された第２の角部稜１９ｄを介して連続されている。したがって、第１の角部稜１８ｄ及び第２の角部稜１９ｄは、集塵袋１１を後側から見た場合に図６に示すようにジグザグ状をなしている。それにより、これら角部稜を乗り越えるような空間部分を介して側面排気溝１８ａ，１９ａと裏面排気溝１７ａとが連通されるようになっている。
【００２７】
側面排気溝１８ａ，１９ａと前記開口部周り１６とは、これらの間に図４及び図５（Ａ）に示すように三角形状の折り曲げ端部１８ｅ，１９ｅを形成して連続されている。折り曲げ端部１８ｅは側面排気溝１８ａの支持板１２側端部を塞き止めており、同様に折り曲げ端部１９ｅは側面排気溝１９ａの支持板１２側端部を塞き止めている。
【００２８】
第３の側面部位２０と第４の側面部位２１は、裏面部位１７に対してその裏面排気溝１７ａが並んだ方向の両端、つまり、本実施形態では裏面部位１７の左右両端に夫々連続し、かつ、開口部回り１６に至る部位である。これら第３の側面部位２０及び第４の側面部位２１の上下両端は、第１の側面部位１８の側面排気溝１８ａが並んだ方向の端と第２の側面部位１９の側面排気溝１９ａが並んだ方向の端の夫々に連続している。したがって、第３の側面部位２０と第４の側面部位２１はフィルター袋体１５の左右側面部位をなし、それらの内面は互いに対向している。これら第３の側面部位２０及び第４の側面部位２１には排気溝を形成するための折り曲げ加工は施されていない。
【００２９】
補強部２５は、裏面部位１７の一部、つまり、本実施形態の場合には、図６に示すように裏面部位１７の両端に位置した第１の角部稜１８ｄと第２の角部稜１９ｄに設けられている。この補強部２５は、裏面部位１７をなした通気性材料より高強度でかつ変形可能に作られており、例えば、第１の角部稜１８ｄと第２の角部稜１９ｄとに合成樹脂を含浸させ硬化させることによって、裏面排気溝１７ａにわたって設けられている。なお、第１の角部稜１８ｄと第２の角部稜１９ｄに補強部２５を設けることは、この補強部２５が裏面部位１７の通気面積を実質的に減少させない点で好ましいが、裏面部位１７が十分な面積を有している場合には、第１の角部稜１８ｄと第２の角部稜１９ｄとの間の中間部に少なくとも一つの補強部を設けることも可能である。
【００３０】
前記構成の集塵袋１１は、折り畳まれた状態で、その支持板１２を掃除機本体２の袋支持壁２ｃに図示しない保持手段に支持させることによって、集塵室２ｂに収納された状態に保持される。この保持状態で、集塵袋１１の塵埃通孔１３は掃除機本体２の吸込み口６に対向している。
【００３１】
電動送風機７を駆動して電気掃除機１を使用状態にすると、集塵袋１１は、集塵室２ｂを通り電動送風機７に吸込まれようとする空気の流れによって、仕切り５に向けて膨れるように変形し、その裏面部位１７の各裏面稜１７ｃが仕切り５に当たって支持される。この支持状態では、図１に示されるようにフィルター袋体１５の裏面排気溝１７ａが仕切り５の平らな前面（上流側面）に臨んで、この面との間に通気流路Ｆが複数形成される。これら通気流路Ｆは、仕切り５のスリット５ａを通じて電動送風機７の図示しない吸気口に連通している。更に、図２に示すように集塵室２ｂの底壁内面が平らであって、この面上に集塵袋１１のフィルター袋体１５が支持される場合、第２の側面部位１９の側面稜１９ｃが集塵室２ｂの底壁内面に当たって支持されるので、この内面と第２の側面部位１９との間にも通気流路が複数形成される。この下側の通気流路は前記裏面側の通気流路Ｆに下側から連通されている。
【００３２】
そのため、電動送風機７の駆動に伴い空気とともに集塵袋１１に吸込まれた塵埃が、フィルター袋体１５に捕捉される。これとともに、この塵埃から分離されてフィルター袋体１５を通過した空気が、フィルター袋体１５の周りを流動し通気流路Ｆからスリット５ａを通って電動送風機７に吸込まれ、更に、電動送風機７外に流出した後に、掃除機本体２の排気部を通って外部に放出される。
【００３３】
既述のようにフィルター袋体１５の裏面部位１７は複数の裏面排気溝１７ａを有している。このため、電気掃除機１の使用中、フィルター袋体１５に対して電動送風機７の吸込み力が最も強く作用する裏面部位１７が、この裏面部位１７を支持した仕切り５に沿うように平らに変形してへばり付くことが抑制される。加えて、本実施形態では裏面部位１７に補強部２５を設けたので、この補強部２５による裏面排気溝１７ａの保形作用によって、裏面部位１７が平らに変形することをより確実に抑制できる。したがって、通気流路Ｆの流路断面積が大きく減らないように通気流路Ｆが保持されるに伴い、吸塵力の低下を抑制できる。
【００３４】
しかも、裏面部位１７が平らである場合よりも、複数の裏面排気溝１７ａを有した裏面部位１７の方が、裏面部位１７のろ過面積は大きい。同様に、第１の側面部位１８及び第２の側面部位１９は、平らではなく、複数の側面排気溝１８ａ又は１９ａを有しているので、第１の側面部位１８及び第２の側面部位１９のろ過面積は、平らな第３の側面部位２０及び第４の側面部位２１のろ過面積より大きい。このようにフィルター袋体１５全体のろ過面積が増えているので、フィルター袋体１５を原因とする通気抵抗も小さく、この点でも吸塵力の低下を抑制できる。
【００３５】
既述のように集塵袋１１の裏面部位１７に裏面排気溝１７ａを設けたので、仕切り５の裏面部位１７を支持する領域に、裏面部位１７に接してこの裏面部位１７を波打たせるように変形させて支持するためのリブを殊更形成する必要がなく、仕切り５の構成及び成形を簡単にできる。
【００３６】
そして、仕切り５が以上のように裏面部位１７に接してこれを変形させるリブを有していないことにより、リブの高さに依存することなく谷１７ｂが深い裏面排気溝１７ａをフィルター袋体１５自体で確保して、通気流路Ｆを仕切り５との間に設けることができる。このため、電動送風機７の吸引力により、仮に、裏面部位１７が仕切り５に過度に接近するように大きく変形されることがあっても、この裏面部位１７は単に潰れるように変形するだけであり、裏面部位１７が仕切り５に引っ掛かって裏面部位１７に過大な負荷が掛かることがない。これにより、裏面部位１７が破損する恐れがない。
【００３７】
しかも、以上のように裏面部位１７を変形させて支持するリブを仕切り５が有していないことにより、電気掃除機１の使用に伴い捕捉された塵埃の集塵袋１１内への集塵量がある程度以上増加した場合、谷１７ｂを浅くするように裏面部位１７が補強部２５に抗して左右方向に広がり変形することが可能である。同様に、谷１８ｂを浅くするように第１の側面部位１８が広がり方向に変形することが可能であるとともに、谷１９ｂを浅くするように第２の側面部位１９が左右方向に広がり変形することが可能である。したがって、集塵袋１１の塵埃の集塵量を増やすことができる。
【００３８】
更に、仕切り５がリブを有していないことにより、本体蓋１０を開いた状態で、塵埃が溜められた集塵袋１１を集塵室２ｂから上方に取出す際に、仕切り５での抵抗が少なく、容易に集塵袋１１を取出すことができる。
【００３９】
又、集塵袋１１の裏面部位１７に設けられている裏面排気溝１７ａは上下方向に延びている。このため、集塵袋１１の集塵量が少ない状態では、電動送風機７の運転停止後に、フィルター袋体１５の内部に臨んだ裏面部位１７の袋体内面に付着した塵埃が、その自重等により落下し易い。
【００４０】
なお、前記一実施形態は以上のように構成したが、本発明は、裏面部位１７を支持する仕切り５の領域に高さが低いリブ、すなわち、通常時は裏面部位１７の谷１７ｂに接することなく離間しており、裏面部位１７がある程度広がるように変形した場合に裏面部位１７を接して、裏面部位１７がそれ以上過度に広がらないようにこの裏面部位１７を支持する高さのリブを設けて実施することが可能である。
【００４１】
又、本発明で、集塵袋１１のフィルター袋体１５は、一枚の袋体材料を折り曲げて各部を一体に連続して形成することが望ましいが、複数の袋体材料を接着して形成することもでき、例えばフィルター袋体１５の裏面部位１７がその他の部位とは別体に折り曲げられたものであって、前記その他の部位に接着剤により接着して形成されていてもよい。
【００４２】
更に、一実施形態では、裏面部位１７の複数の裏面排気溝１７ａを互いに連続させかつ平行に設けたが、これらは非連続でかつ平行とならないように設けることも可能である。その上、一実施形態では、仕切り５に支持される裏面部位１７が支持板１２と対向するようにしたが、掃除機本体２の吸込み口６の位置と仕切り５の位置等との兼ね合いで、裏面部位１７を支持板１２に対向しないように配置して実施することも可能である。
【００４３】
なお、集塵袋１１のろ過面積をより大きく確保するために、フィルター袋体１５の第１の側面部位１８と第２の側面部位１９の夫々に設けた複数の側面排気溝１８ａ又は１９ａの内の一方は省略できるとともに、集塵袋１１が十分に大きい場合には側面排気溝１８ａ，１９ａの双方を省略してもよい。
【図面の簡単な説明】
【００４４】
【図１】本発明の一実施形態に係る電気掃除機を一部切欠いて示す略平面図。
【図２】一実施形態に係る電気掃除機を一部切欠いて示す略側面図。
【図３】本発明の一実施形態に係る集塵袋を斜め上側から見て示す斜視図。
【図４】一実施形態に係る集塵袋を斜め下側から見て示す斜視図。
【図５】（Ａ）は一実施形態に係る集塵袋を側面排気溝の谷を通る位置で示す縦断側面図。（Ｂ）は一実施形態に係る集塵袋を裏面排気溝の谷を通る位置で示す縦断側面図。
【図６】一実施形態に係る集塵袋を示す裏面図。
【符号の説明】
【００４５】
１…電気掃除機、２…掃除機本体、２ｂ…集塵室、５…仕切り、５ａ…スリット（通気部）、６…吸込み口、７…電動送風機、１１…集塵袋、１２…支持板、１３…塵埃通孔、１５…フィルター袋体、１７…裏面部位、１７ａ…裏面排気溝、１７ｂ…裏面排気溝の谷、１７ｃ…裏面稜、１８…第１の側面部位、１９…第２の側面部位、１８ａ，１９ａ…側面排気溝、１８ｂ，１９ｂ…側面排気溝の谷、１８ｃ，１９ｃ…側面稜、１８ｄ，１９ｄ…角部稜、２５…補強部、Ｆ…通気流路
【図１】
2010125052.tif 000003
【図２】
2010125052.tif 000004
【図３】
2010125052.tif 000005
【図４】
2010125052.tif 000006
【図５】
2010125052.tif 000007
【図６】
2010125052.tif 000008